(57)【要約】【課題】植物育成に必要な肥料や農薬を土中に与えるとともに、植生箇所周囲の表土の飛散・流出を防止することを可能とするための被覆シートの提供を図る。【解決手段】所要長さ、幅、厚さを有し軟性樹脂製から成る基シート２の表面若しくは内部に、肥料または農薬の少なくとも一つが塗布若しくは含浸されて成る植物育成用被覆シート１である。該植物育成用被覆シート１は、被覆箇所の形状に合わせて自在に裁断することが可能であり、裁断した植物育成用被覆シート１を被覆箇所に被覆・敷詰めることで使用されるものである。【選択図】図１
0003170774.tif 000002
【実用新案登録請求の範囲】
【請求項１】
所要長さ、幅、厚さを有し軟性樹脂製から成る基シートの表面若しくは内部に、肥料または農薬の少なくとも一つが塗布若しくは含浸されて成る被覆シートであって、被覆箇所の形状に合わせて自在に裁断して、該被覆箇所に被覆・敷詰め可能となっていることを特徴とする植物育成用被覆シート。
【請求項２】
前記植物育成用被覆シートにおいて、
前記基シートをメッシュ状とすることで、通水性を備えたことを特徴とする請求項１に記載の植物育成用被覆シート。
【請求項３】
前記植物育成用被覆シートにおいて、
前記基シートが、透明または半透明若しくは着色素材から成ることを特徴とする請求項１または請求項２に記載の植物育成用被覆シート。
【請求項４】
前記植物育成用被覆シートにおいて、
前記基シートの表面に、裁断線が表示されていることを特徴とする請求項１から請求項３のいずれかに記載の植物育成用被覆シート。
【請求項５】
前記植物育成用被覆シートにおいて、
被覆箇所に被覆・敷詰めした際の止めクイが、前記基シートと別体若しくは一体として備えられていることを特徴とする請求項１から請求項４のいずれかに記載の植物育成用被覆シート。
【考案の詳細な説明】
【技術分野】
【０００１】
本考案は、街路樹やプランター、植木鉢等の植生箇所における表土を被覆するための被覆シートに関し、詳しくは、農薬や肥料を含浸・塗布することで植物の育成に資する被覆シートに関するものである。
【背景技術】
【０００２】
植物は、土中に根を張り生育するもので、該土中から生育に必要な栄養分を根によって吸収する。植物の生長が進むにつれ、土中の栄養分は吸収されることによって減少していくため、植物生育に必要な栄養分が枯渇してしまい、更なる植物の生長を阻害することとなる。
また、土中には、植物に有害な生物等が繁殖し易く、かかる有害生物によって植物の生長が阻害されることもある。
【０００３】
上記のような問題を解決するため、土中栄養分を補うべく、植生箇所周囲の表土上若しくは土中に、液体状若しくは固体状の肥料を与えることが従来より行われている。また、有害生物の繁殖抑制等のために、植生箇所周囲の表土上若しくは土中に、農薬を散布することも従来より行われているところである。
【０００４】
ところで、植生箇所周囲の表土は、空気と触れ合うために水分が蒸発して、乾燥状態となることがある。表土が乾燥していたとしても、土中内まで乾燥しているとは限らず、植物生育に必要な水分については、土中の水分を根が吸収することで足りる。しかしながら、表土が乾燥状態となると、該表土が風に乗って植生箇所から飛ばされてしまうことがよくある。このことは、土埃を周囲に発生させる原因であるとともに、表土上に与えられた肥料や農薬を共に撒き散らすこととなり、人体が無意識にそれを吸引してしまう危険性がある。
【０００５】
また、ゲリラ豪雨などにより大量の雨水等が植生箇所に流れ込むと、該植生箇所周囲の表土が、該雨水等により流出してしまうこともある。このことは、流出した土によって、周囲を汚してしまう原因であるとともに、上記同様、表土上に与えられた肥料や農薬を共に拡散してしまうこととなる。
【０００６】
【特許文献１】登録実用新案第３１６７４１５号公報
【考案の開示】
【考案が解決しようとする課題】
【０００７】
そこで、本考案は、上記事情に鑑みてなされたものであり、植物育成に必要な肥料や農薬を土中に与えるとともに、植生箇所周囲の表土の飛散・流出を防止することを可能とするための被覆シートを提供することを課題としている。
【課題を解決するための手段】
【０００８】
このような課題を解決するために、本考案の請求項１に係る植物育成用被覆シートは、所要長さ、幅、厚さを有し軟性樹脂製から成る基シートの表面若しくは内部に、肥料または農薬の少なくとも一つが塗布若しくは含浸されて成る被覆シートであって、被覆箇所の形状に合わせて自在に裁断して、該被覆箇所に被覆・敷詰め可能な構成となっている。
【０００９】
また、本考案の請求項２に係る植物育成用被覆シートは、前記基シートをメッシュ状とすることで、通水性を備えた構成となっている。
【００１０】
さらに、本考案の請求項３に係る植物育成用被覆シートは、前記基シートが、透明または半透明若しくは着色素材から構成されている。
【００１１】
またさらに、本考案の請求項４に係る植物育成用被覆シートは、前記基シートの表面に、裁断線が表示されている構成となっている。
【００１２】
そしてまた、本考案の請求項４に係る植物育成用被覆シートは、被覆箇所に被覆・敷詰めした際の止めクイが、前記基シートと別体若しくは一体として備えられている構成を採用する。
【考案の効果】
【００１３】
本考案に係る植物育成用被覆シートによれば、基シートが軟性樹脂製であるため、持ち運びの際に折り畳んだり筒状に巻くなどして、コンパクトに束ねることが可能であり、運搬性に資するものである。また、同様に軟性樹脂製であるため、容易に裁断することが可能であり、加工性に資するとともに、使用時における形状の自在性にも資するものである。
【００１４】
さらに、本考案に係る植物育成用被覆シートによれば、形状の自在性によって被覆箇所の形状に合わせて自在に裁断して被覆・敷詰め可能となっていることから、隙間を空けることなく該被覆箇所の表土全体を覆い尽くすことが可能となる。
【００１５】
またさらに、本考案に係る植物育成用被覆シートによれば、表面若しくは内部に肥料または農薬が塗布・含浸されていることから、自然的あるいは人工的に散水されることで、肥料または農薬が自然と土中に浸透され、土中栄養分を補ったり、あるいは、有害生物の繁殖を抑制して、植物の育成に資する。
【００１６】
そしてまた、本考案に係る植物育成用被覆シートによれば、被覆箇所の表土全体を覆い尽くすことが可能であることから、乾燥表土の飛散及び雨水等による表土流出を防止する効果も奏する。
【図面の簡単な説明】
【００１７】
【図１】本考案に係る植物育成用被覆シートの実施形態を示す斜視図である。
【図２】本考案に係る植物育成用被覆シートの使用態様を示す説明図である。
【考案を実施するための最良の形態】
【００１８】
以下、本考案に係る植物育成用被覆シート１の実施形態について、図面を参照しながら説明する。
なお、本考案は、下記の実施形態に示した構成に特に限定されるものではなく、本考案の技術的思想の要旨に逸脱しない範囲で、任意に変更することができるものである。
【００１９】
図１は、本考案に係る植物育成用被覆シート１の実施形態を示す斜視図である。
該植物育成用被覆シート１は、軟性樹脂製から成る基シート２により構成されている。
軟性樹脂素材については、特に限定するものではないが、例えばポリマー系樹脂やシリコン樹脂、その他発泡樹脂等が考え得る。
【００２０】
基シート２は、所要長さ、幅、厚さを有している。すなわち、該基シート２自体の大きさ形状については、シート状であれば特に限定するものではなく、例えば長さ２ｍ、幅１ｍ、厚さ１ｍｍの四角形状シートとすることが考え得る。但し、該基シート２は、裁断が行われることから、厚さについて厚過ぎるものは望ましくなく、例えば０．１ｍｍ〜３ｍｍ程度の厚さとすることが好ましい。
【００２１】
かかる基シート２について、その形状をメッシュ状とすることが考え得る。すなわち、メッシュ状とすることで、該基シート２に通水性を備えさせることが可能であり、自然的若しくは人工的な散水時に水分が土中に浸透し易くすることができる。
【００２２】
また、かかる基シート２について、生分解性素材を採用することが考え得る。すなわち、基シート２に生分解性を備えさせることで、被覆後にその状態のまま、何ら処理することなく自然と土に還ることとなり、環境にも優れたものとなる。
【００２３】
かかる基シート２について、透明または半透明若しくは着色素材から成る態様が可能である。かかる態様を採用することで、好みや場所に合わせて基シート２の色彩を選択して、植物を傷めることなくデザイン的・ビジュアル的に装飾することが可能となり、観者の美感を想起させる効果を発揮する。
【００２４】
さらに、かかる基シート２について、表面に予め裁断線を表示しておく態様が考え得る。例えば、本考案に係る植物育成用被覆シート１を植木鉢に使用する場合であれば、植木鉢における表土部分を被覆するための外形線を、破線などによる裁断線を表示しておく態様である。これにより、使用時の裁断が容易となって、作業性の向上に資することとなる。
【００２５】
以上の通り構成される基シート２は、軟性素材から成るため、図面に示すように、折り畳んだり、あるいは、筒状に巻いたりして、コンパクトに束ねることが可能である。よって、不使用時の収納性や運搬性にも資するものである。
【００２６】
該基シート２には、その表面に肥料または農薬が塗布され、あるいは、その内部に肥料または農薬が含浸されている。このとき、肥料あるいは農薬のいずれか一方のみを塗布・含浸させることも可能であり、あるいは、肥料と農薬の両方とも塗布・含浸させる態様も考え得る。
なお、塗布・含浸させる肥料や農薬の種類については、特に限定するものではなく、被覆対象となる植物の種類などに応じて適宜決定すればよい。
【００２７】
以上の通り構成される本考案に係る植物育成用被覆シート１について、次に、その使用態様について説明する。
まず始めに、拡げられた植物育成用被覆シート１を、被覆箇所の形状等に合わせてシート上に裁断すべき線を記入するなどして、裁断形状を決定する。被覆箇所としては、街路樹やプランター、植木鉢等の表土部分となる。なお、予め裁断線３が表示された態様の植物育成用被覆シート１を使用する場合には、既表示の裁断線３に従う。次に、決定した裁断形状に合わせ、植物育成用被覆シート１を裁断する。裁断方法に限定はなく、ハサミやカッターなどを用い裁断すればよい。そして、裁断された植物育成用被覆シート１は、被覆箇所に敷き詰められ、表土が被覆される。
以上の簡単な工程により、本考案に係る植物育成用被覆シート１は使用される。
【００２８】
ところで、植物育成用被覆シート１の裁断形状については、被覆箇所の形状と必ずしも一致させる必要はなく、植物育成用被覆シート１を無駄なく全て使い切ることができるよう、夫々形状工夫を凝らすことが可能である。
図２は、本考案に係る植物育成用被覆シート１の使用態様を示す説明図であり、図２（ａ）は方形のプランターの表土を被覆する場合の被覆例、図２（ｂ）は街路樹における表土を被覆する場合の被覆例、図２（ｃ）は円形の植木鉢の表土を被覆する場合の被覆例を示している。
【００２９】
なお、被覆された植物育成用被覆シート１について、それ自体が風などにより飛ばされたり、ズレ若しくは捲れ上がることのないよう、止めクイ４により地面と固定することが望ましい。
該止めクイ４は、基シート２と別体とし、植物育成用被覆シート１を被覆・敷詰めた後に、該植物育成用被覆シート１上から別体の止めクイ４を地面に差し込む態様が考え得る。
あるいは、基シート２の加工段階で該基シート２と一体的に止めクイ４を備えさせ、止めクイ４が備えられた面を下方に植物育成用被覆シート１を被覆・敷詰め、それと同時に植物育成用被覆シート１を地面に押し付けることで、止めクイ４が地面に差し込まれる態様も考え得る。
なお図面では、植物育成用被覆シート１と止めクイ４とが別体の場合について示している。
【符号の説明】
【００３０】
１    植物育成用被覆シート
２    基シート
３    裁断線
４    止めクイ
【図１】
0003170774.tif 000003
【図２】
0003170774.tif 000004